(57)【要約】【課題】隔成される区画領域のバリエーションを増やすことができる間仕切り構造物を提供する。【解決手段】四角柱状の支柱１４の各側面及び各角部の計八箇所に、上下に延在する挿入溝３２を全長に渡って形成し、挿入溝３２を、パネル材１３の側縁部を挿入できる幅寸法に設定する。隣接した一方の挿入溝３２へのパネル材１３の挿入方向と、他方の挿入溝３２へのパネル材１３の挿入方向とが４５度の角度αを成すように各挿入溝３２の開口方向を設定し、隣接するパネル材１３が形成する角度を、選択的に９０度、１３５度、１８０度、２２５度、及び２７０度に設定できるように構成する。【選択図】        図２
2005023517.tif 000002
【特許請求の範囲】
【請求項１】
パネル材と、該パネル材の側部を支持する支柱とを連結して仕切を形成する間仕切り構造物において、
前記支柱の周面に、前記パネル材の側縁部が挿入される長さ方向に延在した挿入溝を周方向に離間して八箇所に設け、隣接する一方の挿入溝への前記パネル材の挿入方向と、他方の挿入溝への前記パネル材の挿入方向とが４５度の角度を成すように各挿入溝の開口方向を設定したことを特徴とする間仕切り構造物。
【請求項２】
前記パネル材の仕切面を金網で構成したことを特徴とする請求項１記載の間仕切り構造物。
【請求項３】
前記支柱と前記パネル材とを接合する接合部材を、前記パネル材の一方側から取り外し可能に固定したことを特徴とする請求項１又は２記載の間仕切り構造物。
【発明の詳細な説明】
【０００１】
【発明の属する技術分野】
本発明は、例えば室内を区画する間仕切り構造物に関する。
【０００２】
【従来の技術】
従来、室内を区画する際には、パーテーションが使用されていた。
【０００３】
このパーテーションは、板状のパネル材と、該パネル材を支持する支柱との組合せによって構成されている。この支柱には、隣接するパネル材を真っ直ぐ又は直角に連結できるように構成されており、パネル材を支柱で連結して行くことで、矩形状に区画された領域を隔成できるように構成されている。
【０００４】
【発明が解決しようとする課題】
しかしながら、このようなパーテーションにあっては、矩形状の区画領域しか形成することができなかった。
【０００５】
本発明は、このような従来の課題に鑑みてなされたものであり、隔成される区画領域のバリエーションを増やすことができる間仕切り構造物を提供することを目的とするものである。
【０００６】
【課題を解決するための手段】
前記課題を解決するために本発明の請求項１の間仕切り構造物にあっては、パネル材と、該パネル材の側部を支持する支柱とを連結して仕切を形成する間仕切り構造物において、前記支柱の周面に、前記パネル材の側縁部が挿入される長さ方向に延在した挿入溝を周方向に離間して八箇所に設け、隣接する一方の挿入溝への前記パネル材の挿入方向と、他方の挿入溝への前記パネル材の挿入方向とが４５度の角度を成すように各挿入溝の開口方向を設定した。
【０００７】
すなわち、支柱の周面には、挿入溝が八箇所に設けられており、隣接する挿入溝の開口方向が４５度の角度となるように設定されている。このため、この支柱を介して連結されるパネル材同士の交差角度が４５度ピッチで設定される。
【０００８】
また、請求項２の間仕切り構造物においては、前記パネル材の仕切面を金網で構成した。
【０００９】
これにより、このパネル材で隔成された区画領域内を、外部から目視することができる。また、周囲の空調設備による区画領域内の温度管理が可能となる。
【００１０】
さらに、請求項３の間仕切り構造物では、前記支柱と前記パネル材とを接合する接合部材を、前記パネル材の一方側から取り外し可能に固定した。
【００１１】
すなわち、支柱とパネル材とを接合する接合部材を、パネル材の一方側から取り外し可能に固定したため、このパネル材で隔成された区画領域外からの分解が防止される。
【００１２】
【発明の実施の形態】
以下、本発明の一実施の実施の形態を図面に従って説明する。図１は、本発明にかかる間仕切り構造物１を示す図であり、該間仕切り構造物１によって平面視長方形状の区画領域２を形成した状態が示されている。この間仕切り構造物１は、室内を区画するものであり、区画領域２でのセキュリティの向上を図れるように構成されている。
【００１３】
すなわち、この間仕切り構造物１は、複数のモジュールパネル１１，・・・と、モジュールドア１２との組合せによって形成されている。各モジュールパネル１１は、パネル材１３と、該パネル材１３の側部を支持する支柱１４とによって構成されており、このモジュールパネル１１を順次連結することで仕切を形成できるように構成されている。
【００１４】
前記パネル材１３は、上縁及び下縁に延在する棒状の横フレーム２１，２１と、両フレーム２１，２１間に設けられた仕切面２２とからなり、該仕切面２２は、金網によって形成されている。この金網は、金属線が格子状に組まれるとともに、金属線が交差部で溶接されてなり、その網目は、手を挿入できない大きさに設定されている。
【００１５】
前記支柱１４は、図２に示すように、中央部に円形の挿入穴３１が貫通した四角柱状に形成されており、各側面と各角部の計八箇所には、上下に延在する挿入溝３２，・・・が全長に渡って形成されている。各挿入溝３２は、側方へ向けて開口したコ字状に形成されており、対向した内側面には、開口部側に凹部３３，３３が全長に渡って形成されている。各挿入溝３２は、前記パネル材１３の側縁部を挿入できる幅寸法に設定されているとともに、パネル材１３の側縁部を全長に渡って外嵌できるように構成されている。
【００１６】
この支柱１４の周方向において隣接した一方の挿入溝３２への前記パネル材１３の挿入方向と、他方の挿入溝３２への前記パネル材１３の挿入方向とが４５度の角度αを成すように各挿入溝３２の開口方向が設定されている。つまり、隣接した挿入溝３２，３２の中心線４１，４１同士の角度αが４５度となるように設定されている。これにより、隣接するパネル材１３，１３が形成する角度を、図２の（ｂ）に示すように、選択的に９０度、１３５度、１８０度、２２５度、及び２７０度に設定することができ、図３に示すように、各モジュールパネル１１，・・・を真っ直ぐや直角のみならず、斜めにも接合できるように構成されている。
【００１７】
また、前記支柱１４と前記パネル材１３とは、図４（パネル材１３，１３を直線状に接続した状態のみ図示）に示すように、上端及び下端が端部接合部材５１，５１で固定されているとともに、その中途部が中間接合部材５２，・・・で固定されている。前記各接合部材５１，５２は、図５にも示すように、前記支柱１４に沿って配置される本体の両端に、当該支柱１４に接続される各パネル材１３，１３側へ延出するフランジ５３，５３が形成された金具５４によって構成されている。この金具５４は、本体部分が前記支柱１４にボルト締めされるように構成されており、前記フランジ５３，５３には、横長の長穴５５，５５が設けられている。
【００１８】
前記パネル材１３の前記横フレーム２１の内側面６１には、長さ方向に延在する保持溝６２が形成されており、該保持溝６２内には、ねじ穴が形成された矩形板６３が抜け止めされた状態で移動可能に保持されている。この矩形板６３のねじ穴には、前記金具５４の長穴５５を挿通するボルト６４が締結されるように構成されており、この矩形板６３を保持した保持溝６２は、前記パネル材１３の内側面６１のみ、すなわち一方側の面のみに形成されている。これにより、前記金具５４で支柱に固定されたパネル材１３は、少なくとも上縁及び下縁が当該パネル材１３の内側から取り外し可能に固定されている。
【００１９】
また、前記中間接合部材５２は、前記金具５４と、該金具５４のフランジ５３，５３と対を成す裏板７１とからなり、該裏板７１の円形穴７２を挿通したボルト７３を前記金具５４の長穴５５に挿通し、ナット７４を締結することで、支柱１４にパネル材１３を固定できるように構成されている。
【００２０】
この支柱１４の下端部には、アンカーレベルフット８１が設けられている。該アンカーレベルフット８１は、前記支柱１４中央の挿入穴３１へ挿入される挿入バー８２と、該挿入バー８２の下端部に設けられた円板状の支持板８３とによって形成されており、該支持板８３には、側縁に沿って複数の円形穴８４，・・・が開設されている。これにより、この円形穴８３を介して、図外のアンカーをフロアに固定することによって、フロアに対する支柱１４の起立位置を固定できるように構成されている。
【００２１】
そして、前記モジュールドア１２は、図１に示したように、金網からなる扉９１で開閉されるドア開口部９２が形成されており、該ドア開口部９２の側部には、扉９１の開閉を規制する施錠機構９３が設けられている。
【００２２】
図５及び図６は、この間仕切り構造物１の使用例を示す図であり、図５には、電子機器が収容されたラック１０１，１０１を包囲するように設置した例が、図６には、自動発券機１０２，１０２や両替機１０３が設置された壁面１０４を裏面側から囲うように設置した例が示されている。
【００２３】
以上の構成にかかる本実施の形態において、支柱１４の周面には、挿入溝３２，・・・が八箇所に設けられており、隣接する挿入溝３２，３２の開口方向が４５度の角度αとなるように設定されている。これにより、この支柱１４を介して連結されるパネル材１３，１３同士の交差角度を、４５度ピッチで設定することができる。このため、隣接するパネル材１３，１３の角度を、９０度や１８０度のみならず、１３５度や２２５度にも設定することができる。
【００２４】
したがって、隣接するパネル材１３，１３を真っ直ぐ又は直角に連結することしかできず、矩形状の区画領域２しか形成することができなかった従来と比較して、隔成できる区画領域２のバリエーションを増やすことができる。
【００２５】
また、前記パネル材１３の仕切面２２を金網で構成することによって、このパネル材１３で隔成された区画領域２内を、外部から目視することができる。これにより、区画領域２内の電子機器の作動状態等の様子を、外部から監視することができる。
【００２６】
そして、周囲の空調設備による区画領域２内の温度管理が可能となる。このため、区画領域２内を温度管理する為の空調設備の増設が不要となる。
【００２７】
そして、前記支柱１４と前記パネル材１３とを接合する少なくとも端部接合部材５１，５１を、パネル材１３の内側から取り外し可能に固定したため、このパネル材１３で隔成された区画領域２外からの不用意な分解を防止することができる。
【００２８】
これにより、区画領域２内のセキュリティを高めることができる。
【００２９】
なお、本実施の形態にあっては、当該間仕切り構造物１を室内を区画するパーテーションとして利用した例を挙げて説明したが、これに限定されるものでは無く、屋外においてフェンスとして利用することもできる。
【００３０】
また、本実施の形態では、この間仕切り構造物１によって区画された区画領域２でのセキュリティ性を向上させる場合に付いてのみ説明したが、これに限定されるものでは無く、ｓａｆｅｔｙ  ａｒｅａとして安全エリア（工作機械の可動範囲）を囲んだり、作業エリア（クリンルーム内の作業エリア、一般的な作業エリアも含む）を作る事もできる。
【００３１】
そして、本実施の形態の構成を床下に適用することによって、床下へのセキュリティ性も高めることができ、応用範囲の広い間仕切り構造物１となり得る。
【００３２】
【発明の効果】
以上説明したように本発明の請求項１の間仕切り構造物にあっては、支柱を介して連結されるパネル材同士の交差角度を、４５度ピッチで設定することができるため、隣接するパネル材の角度を、９０度や１８０度のみならず、１３５度や２２５度にも設定することができる。
【００３３】
したがって、隣接するパネル材を真っ直ぐ又は直角に連結することしかできず、矩形状の区画領域しか形成することができなかった従来と比較して、隔成できる区画領域のバリエーションを増やすことができる。
【００３４】
また、請求項２の間仕切り構造物においては、パネル材の仕切面を金網で構成することによって、このパネル材で隔成された区画領域内を、外部から目視することができる。これにより、区画領域内の機器の様子を、外部から監視することができる。
【００３５】
そして、周囲の空調設備による区画領域内の温度管理が可能となる。このため、区画領域内を温度管理する為の空調設備の増設が不要となる。
【００３６】
さらに、請求項３の間仕切り構造物では、支柱とパネル材とを接合する接合部材を、パネル材の一方側から取り外し可能に固定したため、このパネル材で隔成された区画領域外からの不用意な分解を防止することができる。
【００３７】
これにより、区画領域内のセキュリティを高めることができる。
【図面の簡単な説明】
【図１】本発明の一実施の形態の斜視図である。
【図２】同実施の形態を示す図で、（ａ）は支柱の平面図であり、（ｂ）は支柱にパネル材が接合された状態を示す模式図である。
【図３】同実施の形態の支柱とパネル材との接合例を示す模式図である。
【図４】同実施の形態の支柱とパネル材との接合部分を示す分解斜視図である。
【図５】図４のＡ部拡大図である。
【図６】同実施の形態の利用形態を示す模式図である。
【図７】同実施の形態の他の利用形態を示す模式図である。
【符号の説明】
１    間仕切り構造物
１３    パネル材
１４    支柱
２２    仕切面
３１    挿入穴
３２    挿入溝
５１    端部接合部材
６１    内側面
６３    矩形板
６４    ボルト
α    角度
【図１】
2005023517.tif 000003
【図２】
2005023517.tif 000004
【図３】
2005023517.tif 000005
【図４】
2005023517.tif 000006
【図５】
2005023517.tif 000007
【図６】
2005023517.tif 000008
【図７】
2005023517.tif 000009